(57)【要約】      （修正有）【課題】使用者が簡便に使用でき、時間を節約でき、かつ、悩むことのない、快適な台型マイクロ電力自動排紙機を提供する。【解決手段】イクロ電力自動排紙機は、機械電気一体化され、一つの本体を含む。本体のチャンバー中には、組合せ機械歯車とモーターとマイクロ電力スイッチ機能部と一つの電池ケースが設けられている。本体の上端部には一つの可動紙盆及び一つの外カバーがある。外カバーの上端部の表面には送紙出口が設けられ、紙盆が駆動され前後方向に移動させられると、紙盆内の用紙が外カバーの送紙出口に順次供給されていく。【選択図】図２
0003118104.tif 000002
【実用新案登録請求の範囲】
【請求項１】
一つの本体を含み、この本体は一つのチャンバーを有し、このチャンバー中に、一組の機械歯車と、一つのモーターと、少なくとも一つのスイッチ機能部と、一つの電池ケースと、一つの電池蓋と、一つの可動紙盆と、一つの外カバーと、一つの平面板と、一つの弾性平面板とが設けられたことを特徴とするマイクロ電力自動排紙機。
【請求項２】
前記外カバーは、本体から取り外すことができることを特徴とする請求項１記載のマイクロ電力自動排紙機。
【請求項３】
前記外カバーの上端部に、一つの送紙出口が設けられていることを特徴とする請求項１記載のマイクロ電力自動排紙機。
【請求項４】
前記外カバーの送紙出口の下端部は、平面板の案内枠に密着し、貼紙を外カバーの送紙出口へ案内することができることを特徴とする請求項３記載のマイクロ電力自動排紙機。
【請求項５】
前記可動紙盆は、本体表面において第１位置と第２位置間で直線的に前後移動できることを特徴とする請求項１記載のマイクロ電力自動排紙機。
【請求項６】
前記可動紙盆は、本体表面において第１位置と第２位置で停止できることを特徴とする請求項５記載のマイクロ電力自動排紙機。
【請求項７】
前記可動紙盆内に、その数量が次第に少なくなる一セットの貼紙を緩やかに上昇させる一つの弾性平面板が設けられていることを特徴とする請求項５記載のマイクロ電力自動排紙機。
【請求項８】
前記弾性平面板の一端部には、一つのクランプが設けられていることを特徴とする請求項７記載のマイクロ電力自動排紙機。
【考案の詳細な説明】
【技術分野】
【０００１】
本考案は、台型マイクロ電力自動排紙機に関し、特に、自貼機能を有する記事貼紙の排紙機に関する。
【背景技術】
【０００２】
現代社会において、商業事務室、学校、家庭、政府事務室の人たちは、通常、重要な事項を忘れないように貼紙に書き、それを日常目立つ所に貼着し、見ると注意が引き起こされるようにしてある。このような貼紙は、日常の仕事上の習慣となっているが、このような貼紙は両手を使って、剥がし、貼着するステップ等を必要とするものである。明らかに、満足できない所が多く存在し、改良の余地がある。
【考案の開示】
【考案が解決しようとする課題】
【０００３】
本考案は、電源から給電するマイクロ電力自動排紙機を提供することを目的とする。
【課題を解決するための手段】
【０００４】
本考案は、本体を含み、この本体はチャンバーを有し、このチャンバー中に、一つの組合せ機械歯車と、一つのモーターと、一つのマイクロ電力スイッチ機能部と、一つの電池ケースとが設けられている。この本体の上端部に、一つの可動紙盆及び一つの外カバーがあるマイクロ電力自動排紙機を提供する。前記外カバーの上端表面に、一つの送紙出口が設けられている。前記電池ケース内には電力を提供できる電池を備え、スイッチ機能部を介してモーターへと接続され、このモーターが電源と接続されると、モーターの軸心が回転し、前記機械歯車が駆動され、前記可動紙盆を前後移動させることによって、紙盆内に置いた貼紙を順次外カバーの送紙出口に供給し、使用者が手で取って使用することを便利にさせる。
【考案を実施するための最良の形態】
【０００５】
次に、添付された図面の実施例を参照して、本考案の他の特徴について説明する。
本考案の製品の排紙機は、一般的に直方体構造に形成された本体１を含む。この本体は、一つのチャンバー２を有しており、このチャンバー２中には、一組の機械歯車と、一つのモーター３、一つのスイッチ機能部４、一つの電池ケース５と、一つの電池蓋３５が設けられている。この本体１の上端部には可動紙盆６が設けられ、本体１の一端部には底板３７が設けられている。スイッチ機能部４は、本体１の下端部上に固定され、保護カバー３６で被覆されている。機械歯車組は、モーター３の軸上に存する小滑車７と、この小滑車７が備えた一つのベルト８と接続する大滑車９、この大滑車９が備えた一つのベルト１０と接続する一つの中間歯車１１、この中間歯車１１の頂端部の歯１２に駆動され接続する一つの大歯車１３とを含む。大歯車１３の頂端部には凸状円柱１４が設けられ、この凸状円柱１４は一つのレバー１５の一端部に回動可能に接続されている。レバー１５の他端部は一つの揺動棒１６の中央円柱１７に回動可能に接続され、この揺動棒１６の一端部は本体１の一つの軸柱１８に回動可能に固定され、揺動棒１６の他端部には長い滑りレール１９が設けられている。長い滑りレール１９は紙盆６の下端の円柱２０に回動可能に接続され、この円柱２０は本体１の長い滑りレール２１及び揺動棒１６の長い滑りレール１９を貫通し、円柱２０の頂端部には切断カバー２２が固定されている。換言すれば、使用者がスイッチ機能部４を押圧すると、モーター３が回転し、小滑車７を介してベルト８が駆動され、大滑車９を回転させ、大滑車９がベルト１０を駆動して、中間歯車１１を回転させる。すると、中間歯車１１の頂端部の歯１２が大歯車１３を駆動し、この大歯車１３が回転する。この時、大歯車１３の上端部の凸状円柱１４に回動可能に接続されたレバー１
５が直線的に揺動棒１６を前後運動させ、揺動棒１６の一端部に接続された紙盆６の下端部の円柱２０が揺動棒１６の長い滑りレール１９及び本体１の長い滑りレール２１に案内される。これによって、紙盆６を本体１の上端表面に沿って直線的に前後運動させる。切断カバー２２は、紙盆６下端部の円柱２０に駆動され、紙盆６を第１位置に移動させると、マイクロスイッチ部２３を動作させ、電源をオフにし、紙盆６が第１位置に停止するようになる。使用者がスイッチ機能部４を再び押圧すると、電源がオンされ動力にて紙盆６を第２位置に移動させ、前記した切断カバー２２が紙盆６下端の円柱２０に駆動されることによって、紙盆６を第２位置に移動させる時、マイクロスイッチ部２４を押圧し電源をオンにすると第２位置で停止するようになる。
【０００６】
前記本体１の上端部には、一般的に直方形構造の外カバー２５が設けられ、この外カバー２５の一端部には長方形孔２６が設けられ、この長方形孔２６が一つの被覆ボタン２７と可動に接続され、この被覆ボタン２７の下端部には、本体１のスイッチ機能部４の上端表面と密着した一つの長柄２８が設けられている。換言すれば、使用者が被覆ボタン２７を押圧するとスイッチ機能部４を駆動できる。前記外カバー２５の上端表面に送紙出口２９が設けられ、この送紙出口２９の下端は一つの平面板３０の案内枠３１に密着されている。図１１から明らかに分かるとおり、使用者が一セットの貼紙３２を紙盆６中に置き、この貼紙３２の先頭のものは平面板３０の案内枠３１内にあり、使用者が被覆ボタン２７を押圧すると、スイッチ機能部４を介して電源がオンされて機械歯車組が駆動され、紙盆６が移動し、その移動過程において、紙盆６上の先頭の貼紙が平面板３０の案内枠３１内を外カバー２５の上端の送紙出口２９へと上昇・移動する。図１２に示すように、使用者が先頭の貼紙を引き出し使用すると、貼紙同士の貼り付け力があるので、第２枚目の貼紙が平面板３０の案内枠３１内に引き込まれる。図１３に示すように、使用者が被覆ボタン２７を再び押圧すると、スイッチ機能部４を介して電源をオンされて機械歯車組が駆動され、紙盆６を再び移動させ、移動過程において、紙盆６上の第２枚目の貼紙が平面板３０の案内枠３１内にあり、外カバー２５の上端の送紙出口２９へと上昇して移動され、使用者が取って使用できる。このように絶えず運動する場合、使用者は、貼紙を取って使用すべき時に、被覆ボタン２７を一回押圧するだけで、貼紙が外カバー２５の上端の送紙出口２９に自動的に出現し、使用者が取って使用することを便利にさせる。
【０００７】
前記紙盆６内には一つの弾性平面板３２が設けられ、この弾性平面板３２の一端部には一つのクランプ３４があり、このクランプ３４は、一セットの貼紙３２の最後の１枚をクランピングするものであり、この一セットの貼紙３２は、弾性平面板３２の上端表面に置かれ、この一セットの貼紙３２が絶えず使用者に取って使用される場合、前記弾性平面板３２によりその数量が次第に少なくなる一セットの貼紙３２を平面板３０の下端表面に緩やかに上昇させ、貼紙が平面板３０の案内枠３１内に円滑に進入することを順調に行わせる。
【０００８】
電池ケース内には電力を提供できる電池が備えられ、スイッチ機能部を介してモーターへと接続され、このモーターが電源と接続されると、モーターの軸心が回転し、前記機械歯車が運転駆動され、前記可動紙盆を前後運動させることによって、紙盆内に置かれた貼紙を順次外カバーの送紙出口に供給し、使用者が手で取って使用することを便利にさせる。
【０００９】
本考案の排紙機は、事務室、家庭、学校等における現代文具用品に適用できるものである。
【図面の簡単な説明】
【００１０】
【図１】本考案の排紙機の側面図。
【図２】図１に示す製品の断面図。
【図３】図１に示す製品の底面図。
【図４】図１に示す製品の平面図。
【図５】図１に示す製品の正面図。
【図６】図１に示す製品の背面図。
【図７】図１に示す製品の他側側面図。
【図８】図１に示す製品の側面図であり、外カバーを取外すことができることを示している。
【図９】図１に示す製品の横断面図であり、紙盆が第１位置にある時にマイクロスイッチ部と接触することを示している。
【図１０】図１に示す製品の横断面図であり、紙盆が第２位置にある時にマイクロスイッチ部と接触することを示している。
【図１１】図１に示す製品の縦断面図であり、紙盆が第１位置にある時に、貼紙が送紙出口に位置することを示している。
【図１２】図１に示す製品の縦断面図であり、紙盆が第１位置にある時に、貼紙が送紙出口に位置し且つ引き出されることを示している。
【図１３】図１に示す製品の縦断面図であり、紙盆が第２位置にある時に、貼紙が送紙出口に位置にある。
【図１４】図１に示す製品の分解斜視図。
【図１５】図１に示す製品の正面斜視図。
【図１６】図１に示す製品の背面斜視図。
【図１】
0003118104.tif 000003
【図２】
0003118104.tif 000004
【図３】
0003118104.tif 000005
【図４】
0003118104.tif 000006
【図５】
0003118104.tif 000007
【図６】
0003118104.tif 000008
【図７】
0003118104.tif 000009
【図８】
0003118104.tif 000010
【図９】
0003118104.tif 000011
【図１０】
0003118104.tif 000012
【図１１】
0003118104.tif 000013
【図１２】
0003118104.tif 000014
【図１３】
0003118104.tif 000015
【図１４】
0003118104.tif 000016
【図１５】
0003118104.tif 000017
【図１６】
0003118104.tif 000018
【手続補正書】
【提出日】平成17年9月21日(2005.9.21)
【手続補正１】
【補正対象書類名】実用新案登録請求の範囲
【補正対象項目名】全文
【補正方法】変更
【補正の内容】
【実用新案登録請求の範囲】
【請求項１】
送紙出口（２９）透設された外カバー（２５）にて閉塞される本体（１）のチャンバー（２）内において電池蓋（３５）にて覆われる電池ケース（５）内に配置された電池を動力源とするモーター（３）と、スイッチ機能部（４）の操作に基づいて前記モーター（３）が駆動されたとき、同モーター（３）に連動する１組の機械歯車（１１，１３）と、前記機械歯車（１１，１３）に連結された動力変換機構により直線移動される可動紙盆（６）と、前記可動紙盆（６）内に積載され、かつ互いに一部が貼着された複数枚の貼紙（３２）中の最下位置にある貼紙（３２）をクランプするとともに、積載された貼紙（３２）を上方に担持すべく可動紙盆（６）中に設けた弾性平面板（３２）と、前記可動紙盆（６）中にて最上段にある貼紙（３２）を前記外カバー（２５）の送紙出口（２９）へ案内する平面板（３０）とからなるマイクロ電力自動排紙機。
【請求項２】
前記外カバー（２５）を本体（１）に対して取り外し可能に装着したことを特徴とする請求項１に記載のマイクロ電力自動排紙機。
【手続補正２】
【補正対象書類名】図面
【補正対象項目名】全図
【補正方法】変更
【補正の内容】
【図１】
0003118104.tif 000019
【図２】
0003118104.tif 000020
【図３】
0003118104.tif 000021
【図４】
0003118104.tif 000022
【図５】
0003118104.tif 000023
【図６】
0003118104.tif 000024
【図７】
0003118104.tif 000025
【図８】
0003118104.tif 000026
【図９】
0003118104.tif 000027
【図１０】
0003118104.tif 000028
【図１１】
0003118104.tif 000029
【図１２】
0003118104.tif 000030
【図１３】
0003118104.tif 000031
【図１４】
0003118104.tif 000032
【図１５】
0003118104.tif 000033
【図１６】
0003118104.tif 000034